(57)【要約】【課題】ファインダを覗いている状態で撮影準備動作を行った際にも、撮影操作に必要な多数の設定を可能とし、また誤操作を防止し、操作性を向上させる。【解決手段】光学ファインダ１２０と、半押し状態とすることで撮影準備操作を行い、更に押し込むことにより撮影操作を行うシャッタスイッチ１４７と、光学ファインダ１２０内部に組み込まれたファインダ内液晶表示装置１２２と、外装された表示装置１３６と、表示装置１３６の表面に置かれたタッチパネル１４９とを備えており、シャッタスイッチ１４７を操作して撮影準備を行うと、ファインダ内液晶表示装置１２２が有効となり、タッチパネル１４９により検出された操作に応じてファインダ内液晶表示装置１２２の表示内容が変化することによりタッチパネル１４９で行っている操作を確認できるようにしている。【選択図】      図１
2004165934.tif 000002
【特許請求の範囲】
【請求項１】
ファインダ内部に組み込まれた第１の表示手段と、
外装された第２の表示手段と、
前記第２の表示手段の表面に置かれた接触検出手段と、
前記第１の表示手段を使用する状態となることに応答して前記接触検出手段の操作態様を変更する制御手段とを有することを特徴とする撮像装置。
【発明の詳細な説明】
【０００１】
【発明の属する技術分野】
本発明は、ファインダ内表示と、外装された表示装置上に設けられた接触検出センサによる入力操作とを連動させた撮像装置に関する。
【０００２】
【従来の技術】
銀塩カメラやビデオカメラやデジタルカメラ等の撮像装置において、撮像装置の操作部材を少なくして小型化する目的や、操作性を向上させる目的として、ＴＦＴ液晶表示装置等の表示装置と透明なタッチパネルやタッチパッド等の接触検出センサを重ねて利用することがなされている。
【０００３】
これらの構成において、ＴＦＴ液晶表示と、タッチパネルの操作範囲を同期させることで各種設定操作を行うことが可能となっている。例えば、メニューをＴＦＴ液晶表示装置に表示しタッチパネルでメニュー操作を行ったり、各種スイッチをＴＦＴ液晶表示装置に表示しタッチパネルで操作を行ったりすることで、撮影動作等を行うことが可能となる。また、画像をＴＦＴ液晶表示装置に表示し、タッチパネルを操作することで画像の範囲を指定するようなことも可能である。
【０００４】
しかしながら、ＴＦＴ液晶表示を見ながらタッチパネルを操作する場合は問題ないが、カメラやビデオカメラの光学ファインダを覗いている時にはＴＦＴ液晶表示が見えないため、タッチパネルを操作することが困難であり、不用意にタッチパネルを操作して誤動作する場合もある。
【０００５】
このような問題を解決するため、特許文献１において、ファインダを覗いた時のタッチパネル誤操作防止を目的とする提案がなされている。
【０００６】
また、特許文献２において、表示装置上タッチパネルの操作性向上、誤操作防止を目的とする提案がなされている。
【０００７】
【特許文献１】
特開２００１−５９９８４号公報
【特許文献２】
特開平１１−２１２７２６号公報
【０００８】
【発明が解決しようとする課題】
しかしながら、特許文献１に開示されているように光学ファインダを覗いた時にタッチパネルの一部又は全部を無効にしたのでは、操作部材が減少するため操作性が悪くなってしまう。
【０００９】
また、特許文献２に開示されているようにタッチパネルの上に複数のスイッチを割り当てて操作する場合も、操作範囲が目視できないため、ある程度の範囲を操作範囲として割り当てるので、可能な操作が限られていた。また、これらの操作も感覚的な人間の動作として記憶されているため、誤操作を招く可能性があった。
【００１０】
本発明はこのような問題点を解決するためになされたものであり、ファインダを覗いている状態で撮影準備動作を行った際にも、撮影操作に必要な多数の設定を可能とし、また誤操作を防止し、操作性を向上させることを目的とする。
【００１１】
【課題を解決するための手段】
本発明の撮像装置は、ファインダ内部に組み込まれた第１の表示手段と、外装された第２の表示手段と、前記第２の表示手段の表面に置かれた接触検出手段と、前記第１の表示手段を使用する状態となることに応答して前記接触検出手段の操作態様を変更する制御手段とを有する点に特徴を有する。
【００１２】
【発明の実施の形態】
以下、図面を参照して、本発明の撮像装置の実施形態を説明する。
【００１３】
（第１の実施形態）
図１は、第１の実施形態の撮像装置の構成を示したものである。１００は撮像装置本体であり、ここではデジタルカメラを例として説明する。図２は、第１の実施形態のデジタルカメラの外観を示したものである。図３は、第１の実施形態のデジタルカメラにおける光学ファインダ内の液晶表示の例を示したものである。
【００１４】
図１において、撮影を行うためのレンズユニット１１０は絞り１１１、シャッタ１１２、撮像素子１１３を備えている。レンズユニットは、図２の外観図においては符号２０１で示される。
【００１５】
光学ファインダ１２０はスクリーン（ピント版）１２１、ファインダ内液晶表示装置１２２、接眼レンズ１２３を備え、レンズユニット１１０と連動して光学ファインダ１２０のレンズも動作する。ファインダ内液晶表示装置１２２は、液晶制御部１４２により制御されている。光学ファインダは、図２の外観図においては符号２０４で示される。
【００１６】
システム制御部１３０はデジタルカメラの制御を行うものであり、マイコン等で構成されている。
【００１７】
シャッタスイッチ１４７は２段階のスイッチとなっており、軽く押し込む（半押しする）ことで第１のスイッチ（以下、「ＳＷ１」と称する）が入り、更に押し込むことで第２のスイッチ（以下、「ＳＷ２」と称する）が入る仕組みとなっている。
【００１８】
シャッタスイッチ１４７のＳＷ１がオンされると、レンズユニット１１０を通過した被写体の光が撮像素子１１３に露光し、光電変換される。その後、ＡＤコンバータ１３１でデジタルデータに変換され、信号処理部１３２により信号処理されてフォーカスデータ及び露出データが取得される。システム制御部１３０では、フォーカスデータの結果を演算してフォーカス制御部１４０を制御して最適なフォーカス位置へレンズを移動し、露出データの結果を演算して最適なシャッタ速度と絞り値を求めている。
【００１９】
シャッタスイッチ１４７のＳＷ２がオンされると、先に求めたシャッタ速度がシャッタ制御部１３８に渡され、絞り値が絞り制御部１３９に渡され、レンズユニット１１０を通過した被写体の光が所定の時間、所定の光量だけ撮像素子１１３に露光し、光電変換される。その後、ＡＤコンバータ１３１でデジタルデータに変換され、信号処理部１３２により画像データが生成され、画像メモリ制御部１３３によりメモリに格納される。また、撮影された画像データが圧伸処理部１３４により所定の圧縮率で圧縮され、記憶媒体インターフェース１４３を経て記憶媒体１４４に格納される。記憶媒体１４４は、着脱可能な記憶媒体、内蔵タイプの固定記憶媒体を含んでいる。
【００２０】
また、システム制御部１３０はメモリ制御部１５１により各種パラメータや設定値を不揮発メモリ１５２へ記憶することも可能である。
【００２１】
また、システム制御部１３０のプログラムを格納しているプログラムメモリ１５３を書き換えることで、システム制御自体のバージョンアップを行うことも可能である。
【００２２】
また、システム制御部１３０は通信機能を備えており、通信制御部１５０を用いて外部装置やネットワークとの通信による画像転送や撮影制御、システム制御のバージョンアップ等が可能である。
【００２３】
操作部材１４５としては、電源スイッチ１４６、シャッタスイッチ１４７を備えている。図２の外観図においては、電源スイッチは符号２０３、シャッタスイッチは符号２０２で示される。本実施形態では、電源スイッチ１４６は所定時間押下し続けることでオン・オフする仕組みとなっている。
【００２４】
その他の操作部材として、タッチパネル制御部１４８及びタッチパネル１４９を備えている。タッチパネル１４９は、後述するＴＦＴ液晶表示装置の表面に取り付けられ、位置確認用の凹凸２０６が設けられている。また、画像メモリ制御部１３３により制御される表示用メモリ１３５、表示装置１３６を備えている。表示装置１３６は、本実施形態では本体背面に取り付けられたＴＦＴ液晶表示装置であり、タッチパネル１４９がその表面を覆う形で取り付けられている。図２の外観図においてはＴＦＴ液晶表示装置及びタッチパネルは符号２０５で示される。
【００２５】
ファインダ内液晶表示装置１２２、ＴＦＴ液晶表示装置１３６及びタッチパネル１４９はシステム制御部１３０により制御され、場面に応じた表示及び入力を行うことができるようになっている。
【００２６】
例として図６は、電源スイッチ１４６をオンし、デジタルカメラが動作した状態のタッチパネル２０５の操作範囲を示したものである。
【００２７】
同図における撮影モードはＴｖ：シャッタ速度優先ＡＥである。この状態で、「次」が表示されている部分６０１に軽く触れると、次の撮影モード（Ａｖ：絞り優先ＡＥ）へ切り替わる。また、「前」が表示されている部分６０２に軽く触れると、前の撮影モード（Ｍ：マニュアル露出）へ切り替わる。
【００２８】
Ｔｖ：シャッタ速度優先ＡＥモードでは、シャッタ速度の設定が可能である。表示状態では、Ｔｖ：２５０（シャッタ速度１／２５０）が設定されている。「＋」が表示されている部分６０３に軽く触れるとシャッタ速度は速くなる方向（例えばＴｖ：３５０（シャッタ速度１／３５０））に切り替わる。また、「−」が表示されている部分６０４に軽く触れるとシャッタ速度は遅くなる方向（例えばＴｖ：１８０（シャッタ速度１／１８０））に切り替わる。
【００２９】
また、同図においては、露出補正（適正露出からの露出ずらし量）は０（適正露出）が設定されている。「＋」が表示されている部分６０５に軽く触れると露出オーバー方向露出（例えば補正：＋１／２）に切り替わる。「−」が表示されている部分６０６に軽く触れると露出アンダー方向（例えば露出補正：−１／２）に切り替わる。
【００３０】
また、ズームについて「Ｗ」が表示されている部分６０７に軽く触れるとワイド方向（広角方向）へズームレンズが移動する。「Ｔ」が表示されている部分６０８に軽く触れるとテレ方向（望遠方向）へズームレンズが移動する。ズーム操作がタッチパネル１４９により行われると、システム制御部１３０は、ズーム制御部１４１に対してズーム操作を要求し、ズーム制御部１４１はレンズユニット１１０のズームレンズを移動し、また、光学ファインダ１２０に対しても同様にズームレンズ移動を行う。
【００３１】
設定画面の切り替えは、ＴＦＴ液晶表示装置１３６に表示された画面下方のタグに触れることで行う。「設定１」が表示されている部分６１０に軽く触れると本例の画面表示及びタッチパネル１４８の操作範囲となるが、「設定２」が表示されている部分６１１や「設定３」が表示されている部分６１２に軽く触れると別の画面表示、タッチパネル１４８の操作範囲となる。例えば、「設定２」では、撮影する画像サイズや解像度、画質パラメータ、ホワイトバランスの設定を行い、「設定３」では感度設定やストロボ調光補正、ストロボ発光制御等を行うことができる。
【００３２】
なお、本表示例はこれら設定の一例にすぎず、他の撮影モードでの設定例に関しても同様の設定が行えることを意味している。
【００３３】
また、本表示例がメニュー単体で表示されている場合と、電子ファインダ表示に重ね合わせて表示している状態も含んでいる。
【００３４】
図４は、撮影者が光学ファインダ２０４を覗いた状態のタッチパネル２０５の操作範囲を示したものである。４０１は図２に示した位置確認用の凹凸２０６であり、タッチパネルの操作基準位置（参考位置）として設けられている。撮影者が光学ファインダ２０４を覗くと、検出部１２４によりシステム制御部１３０に通知される。なお、検出部は、図２の外観図においては符号２０７で示される。本実施形態では、光学ファインダ２０４付近に設定された赤外発光装置及びその反射光の受光装置で構成されているが、これに限定されるものではない。
【００３５】
撮影者が光学ファインダ２０４を覗いたことが検出されると、システム制御部１３０は、表示装置１３６に対して表示の停止を指示し、本体背面のＴＦＴ液晶表示装置２０５は無効となる。
【００３６】
これと同時に、タッチパネル制御部１４８に対して操作範囲の切り替えが行われる。タッチパネル制御部１４８により設定される操作範囲は、右手親指で上下方向に操作するフォーカス調整４０２と、左右方向に操作するズーム調整４０３と、左手親指で設定操作する「次」ボタン４０４と「前」ボタン４０５となっている。
【００３７】
更にシステム制御部１３０は、液晶制御部１４２に対してファインダ内液晶表示装置１２２の点灯指示を発行し、ファインダ内液晶表示を行う。図３はファインダ内液晶表示の一例である。図４に示す状態でのファインダ内液晶表示（図３）では、フォーカス及びズーム操作が可能なため、「ＦＯＣＵＳ」及び「ＺＯＯＭ」の表示３０８と操作方向表示３０５が暗く点灯する。また、撮影画像のサイズや解像度情報の表示３０１、撮影モードの表示３０２（「Ｔｖ」が点灯している）、予め設定されているシャッタ速度の表示３０３、露出補正値の表示３０７も暗く点灯表示されている。（露出補正３０７以外は、枠が点灯していない状態）
【００３８】
撮影者が光学ファインダ２０４を覗いた状態で、タッチパネル２０５を右手親指で上下方向にフォーカスを操作（軽く触れて指を移動）すると、ファインダ内液晶表示装置１２２の「ＦＯＣＵＳ」の表示３０８が明るく点灯し、フォーカス移動を行った方向が表示３０５に明るく点灯表示される。この時、フォーカスレンズの位置が表示３０７にも表示される。
【００３９】
撮影者が光学ファインダ２０４を覗いた状態で、タッチパネル２０５を右手親指で左右方向にズームを操作（軽く触れて指を移動）すると、ファインダ内液晶表示装置１２２の「ＺＯＯＭ」の表示３０８が明るく点灯し、ズーム移動を行った方向が表示３０５に明るく点灯表示される。この時、ズームレンズ位置が表示３０７にも表示される。また、ズーム操作は前記例同様にレンズユニット１１０へ伝えられ、ズームレンズが制御される。
【００４０】
このように、操作に対して、ファインダ内液晶表示の明るさを切り替えることで、現在の操作内容を視認することができる。
【００４１】
撮影者が光学ファインダ２０４を覗いた状態で、タッチパネル２０５を左手親指で「次」又は「前」を操作する（軽く触れる）と、タッチパネル２０５の操作内容が切り替わる。例えば、図５に示すシャッタ速度、露出補正状態に切り替わる。
【００４２】
図５は、撮影者が光学ファインダ２０４を覗いた状態で、更にシャッタスイッチ２０２を押下しＳＷ１がオンされた時のタッチパネル２０５の操作範囲を示したものである。
【００４３】
撮影者が光学ファインダ２０４を覗き、シャッタスイッチのＳＷ１をオンした状態で、システム制御部１３０は、レンズユニット１１０のレンズ群を通った被写体の情報を撮像素子１１３で捉え、光電変換を行い、ＡＤコンバータ１３１によりアナログからデジタル信号に変換して、信号処理を行い、フォーカスの状態、露光量の状態を演算する。
【００４４】
これと同時に、タッチパネル制御部１４８に対して操作範囲の切り替えが行われる。タッチパネル制御部１４８により設定される操作範囲は、右手親指で上下方向に操作するシャッタ速度調整５０２と、左右方向に操作する露出補正５０３と、左手親指で設定操作する「次」ボタン５０４と「前」ボタン５０５となっている。
【００４５】
図５に示す状態でのファインダ内液晶表示（図３）では、シャッタ速度と露出補正が可能なため、シャッタ速度の値と表示枠３０３と露出補正３０７の表示が暗く点灯する。また、撮影画像のサイズや解像度情報の表示３０１、撮影モードの表示３０２（「Ｔｖ」が点灯している）、露出演算された結果の絞り値の表示が暗く点灯表示されている。（シャッタ速度以外は、枠が点灯していない状態）
【００４６】
フォーカスの状態を演算した結果、最適なフォーカス位置へとフォーカス制御部１４０に指示を出してレンズを移動する。また、露光量の状態を演算した結果、最適なシャッタ速度と絞り量が撮影モードに応じて決定し、その値がファインダ内液晶表示装置１２２に絞り量の表示３０４へ表示される。
【００４７】
撮影者が光学ファインダ２０４を覗き、シャッタスイッチのＳＷ１をオンした状態で、タッチパネル２０５を右手親指で上下方向にシャッタ速度を変更すると、ファインダ内液晶表示装置１２２のシャッタ速度の値と表示枠３０３が明るく点灯し、上方向へ指をずらすとシャッタ速度が高速となり、下方向へずらすとシャッタ速度が低速となる。この時、操作を行った方向が表示３０５に明るく点灯表示される。
【００４８】
撮影者が光学ファインダ２０４を覗き、シャッタスイッチのＳＷ１をオンした状態で、タッチパネル２０５を右手親指で左右方向に露出補正を変更すると、光学ファインダ内液晶表示装置１２２の露出補正の表示３０７が明るく点灯し、右方向へ指をずらすと露出オーバー方向へマークが移動し、左方向へずらすと露出アンダー方向へマークが移動する。この時、操作を行った方向が表示３０５に明るく点灯表示される。
【００４９】
このように、操作に対して、ファインダ内液晶表示の明るさを切り替えることで、現在の操作内容を視認することができる。
【００５０】
撮影者が光学ファインダ２０４を覗き、シャッタスイッチのＳＷ１をオンした状態で、タッチパネル２０５を左手親指で「次」又は「前」を操作する（軽く触れる）と、タッチパネル２０５の操作内容が切り替わる。例えば、図４に示すズーム移動、フォーカス移動に切り替わる。
【００５１】
この他にも、撮影画像のサイズや解像度を切り替える画面を選択すると、ファインダ内液晶表示装置１２２では、撮影画像のサイズや解像度の設定が可能なため撮影画像のサイズ・解像度の値と表示枠３０１が暗く点灯する。（全てが点灯するわけではなく、設定されている画像サイズと解像度が点灯される）
【００５２】
また、撮影モードの表示３０２（「Ｔｖ」が点灯している）、シャッタ速度、露出演算された結果の絞り値、露出補正値が暗く点灯表示されている。（撮影画像のサイズや解像度以外は、枠が点灯していない状態）
【００５３】
この状態で、同様に右手親指を上下左右に移動することで、撮影画像のサイズや解像度の枠が明るく点灯し、撮影画像のサイズを変更した時には、画像サイズを示す絵柄が明るく点灯して変更され、撮影画像の解像度を変更した時には、画像解像度を示す絵柄が明るく点灯して変更される。
【００５４】
このように、操作に対して、ファインダ内液晶表示装置の明るさを切り替えることで、現在の操作内容を視認することができる。
【００５５】
また、撮影モードを切り替える画面を選択すると、ファインダ内液晶表示装置１２２では、撮影モードの変更が可能なため撮影モードの値と表示枠３０２が暗く点灯する。（全てが点灯するわけではなく、設定されている撮影モードが点灯される）
【００５６】
また、撮影画像のサイズや解像度の表示３０１、シャッタ速度の表示３０３、露出演算された結果の絞り値の表示３０４、露出補正値の表示３０７が暗く点灯表示されている。（撮影モード以外は、枠が点灯していない状態）
【００５７】
この状態で、同様に右手親指を上下に移動することで、撮影モードの枠が明るく点灯し、撮影モードを変更した時には変更した撮影モードを示す絵柄が明るく点灯する。その他の表示に関しては、撮影モードに応じた表示内容に切り替わる。
【００５８】
このように、操作に対して、ファインダ内液晶表示の明るさを切り替えることで、現在の操作内容を視認することができる。
【００５９】
また、ストロボ使用時に調光設定画面を選択すると、ファインダ内液晶表示では、調光補正が可能なため、調光補正マーク３０６が暗く点灯し調光補正値が３０７に表示される。
【００６０】
また、撮影画像のサイズや解像度３０１、撮影モードの値３０２、シャッタ速度３０３、露出演算された結果の絞り値３０４が暗く点灯表示されている。（枠が点灯していない状態）
【００６１】
この状態で、同様に右手親指を上下に移動することで、調光補正マーク３０６が明るく点灯し、調光補正値を変更した時には変更した調光補正値３０７が明るく点灯する。
【００６２】
このように、操作に対して、ファインダ内液晶表示の明るさを切り替えることで、現在の操作内容を視認することができる。
【００６３】
本実施形態は、ファインダ内の一つの表示形態とタッチパネルの入力範囲を示しており、その他の撮影設定以外の設定にも応用が可能である。
【００６４】
（第２の実施形態）
図７は、第２の実施形態の撮像装置の構成を示したものである。撮像装置の構成としては、第１の実施形態で説明したものと大部分が同じであるが、光学ファインダでなく液晶ビューファインダを備えている。すなわち、７０１は電子ビューファインダであり、小型液晶表示装置７０２と接眼レンズ７０３を備えている。
【００６５】
図８は、第２の実施形態のデジタルカメラにおけるファインダ内の表示の例を示したものである。小型液晶表示装置７０２には、レンズユニット１１０を通して入射した被写体像を撮像素子１１３で取り込み、ＡＤコンバータ１３１によりアナログデータをデジタルデータに変換し、デジタル信号処理部１３２により信号処理を行って、撮影した画像データを画像メモリ制御部１３３により画像メモリへ作成する。画像の取り込みは継続的に行われて順次液晶表示用メモリ７０５へ転送され、液晶制御部７０４によりファインダ内小型液晶表示装置７０２に電子ビューファインダとして表示される。
【００６６】
また、図８に示すように、各種設定状態も画像データと重ね合わせて表示することが可能である。
【００６７】
ファインダを覗いていない状態においては、第１の実施形態の同様に、図６に示すようにデジタルカメラの本体背面に取り付けられたＴＦＴ液晶表示装置１３６に設定画面が表示され、ＴＦＴ液晶表示装置１３６の表面に置かれたタッチパネル１４９からの入力が可能である。
【００６８】
ファインダを覗いたことを検出部１２４により検出すると、第１の実施形態と同様に背面のＴＦＴ液晶表示が消灯され、タッチパネル１４９の操作範囲は図９に示す範囲となる。
【００６９】
この場合、ファインダ内の小型液晶表示装置７０２が点灯し、レンズユニット１１０を通して液晶表示用メモリ７０５に格納された画像データと設定内容を液晶表示制御部７０４で合成し、液晶ビューファインダを構成する。また、図８に示すように、設定可能な内容が画像データと重ねられて表示される。
【００７０】
図８、９の例では、撮影者がファインダを覗いている状態で、撮影者がモード切替を行うと範囲９０２に軽く触れると、ファインダ内の「モード：Ｔｖ」表示８０１が明るく表示され、モード切替が可能であることが明確に撮影者に示される。
【００７１】
この状態で、撮影者が指を左右に移動することで、撮影モードが切り替わる。指を動かした際、左から右に移動すると、「次」８０３が明るく表示され、次のモード（Ａｖ）へ切り替わる。また、右から左に移動すると、「前」８０２が明るく表示され前のモード（Ｍ）へ切り替わる。
【００７２】
撮影者がファインダを覗いている状態で、シャッタ速度を設定しようと範囲９０３に軽く触れると、ファインダ内の「Ｔｖ：２５０」表示８０４が明るく表示され、シャッタ速度が設定可能であることが明確に撮影者に示される。この状態で、撮影者が指を左右に移動することで、シャッタ速度が切り替わる。指を動かした際、左から右に移動すると、「＋」８０６が明るく表示され、シャッタ速度が高速側へ切り替わり「Ｔｖ：３５０」となる。また、右から左に移動すると、「−」８０５が明るく表示され、シャッタ速度が低速側へ切り替わり「Ｔｖ：１８０」となる。図８、９の状態は、シャッタ速度を低速側へ切り替えようと９０３の範囲を右から左へ指を移動した時の表示状態が示されている。
【００７３】
撮影者がファインダを覗いている状態で、露出補正値を設定しようと範囲９０４に軽く触れると、ファインダ内の「露出補正：０」表示８０７が明るく表示され、露出補正が設定可能であることが明確に撮影者に示される。この状態で、撮影者が指を左右に移動することで、露出補正値が切り替わる。指を動かした際、左から右に移動すると、「＋」８０９が明るく表示され、露出オーバー方向へ切り替わり「露出補正：＋１／２」となる。また、右から左に移動すると、「−」８０８が明るく表示され、露出アンダー方向へ切り替わり「露出補正：−１／２」となる。
【００７４】
撮影者がファインダを覗いている状態で、ズーム操作を行おうと範囲９０５を軽く触れると、ファインダ内の「ズーム」表示８１０が明るく表示され、ズーム操作が可能であることが明確に撮影者に示される。この状態で、撮影者が指を左右に移動することで、ズーム位置を設定することができる。指を動かした際、左から右に移動すると、「Ｔ」８１２が明るく表示され、テレ側（望遠側）へズームレンズが移動する。また、右から左に移動すると、「Ｗ」８１１が明るく表示され、ワイド側（広角側）へズームレンズが移動する。
【００７５】
撮影者がファインダを覗いている状態で、設定項目を切り替えようと範囲９０６を軽く触れると、ファインダ内の「次へ」８２１が明るく表示され、「設定２」８１４の設定項目となる。また、９０７の範囲を軽く触れると、ファインダ内の「前へ」８２２が明るく表示され、「設定３」８１５の設定項目となる。
【００７６】
第２の実施形態では、更に設定項目の選択とタッチパネルの操作範囲の設定が可能である。
【００７７】
図１０は項目設定画面の例である。非撮影動作状態のメニュー選択より選択され、本例においては、「Ｔｖ優先モードの設定項目」を挙げている。本設定において選択された項目は、撮影モードがＴｖ優先モード（シャッタ速度優先モード）である時、撮影者がファインダを覗いている状態で、シャッタボタン２０２を押下しＳＷ１がオンされた状態でファインダ内液晶表示装置に表示される。
【００７８】
１００２は、Ｔｖ優先モードで設定可能な項目の一覧が表示されている。画面に収まりきれない分は、画面右端のスクロールバー１００１を上下に指で操作することで一覧表示もスクロールされる。本実施形態では、１画面の設定項目あたり４項目として、複数の設定ページを持つことができるようになっているが、４項目に制限されることなく、表示装置の性能により１ページに表示される項目数を設定すべきである。
【００７９】
設定可能な項目一覧１００２から１つ選んで指で選択すると、サブメニューとして「有効」「無効」１００３が表示される。ここで、更に「有効」を選択すると設定項目として選択され、「無効」を選択すると設定項目から除外される。使用者の要求に従った設定項目の選択が可能である。
【００８０】
図１１は設定項目に対する操作範囲の設定画面の例である。本例においては、「Ｔｖ優先モードの設定項目」を挙げている。本設定では、「Ｔｖ値設定」「露出補正」「ＡＥロック」が選択されている。
【００８１】
「Ｔｖ値設定」を指で選択すると、「Ｔｖ値設定範囲指定」１１０１が表示され、「露出補正」「ＡＥロック」１１０２は範囲設定状態で無いことを示している。
「Ｔｖ値設定範囲指定」の状態になると範囲指定１１０３が表示され、指で操作して、縦横範囲指定、位置指定を行うことができる。範囲指定１１０３の右端に触れて移動すると、範囲指定の右端が移動し、範囲指定１１０３の上端に触れて移動すると、範囲指定の上端が移動する。同様に左端、下端も操作することが可能であり、範囲指定の大きさを設定できる。また、範囲指定１１０３の中央部に触れて移動すると大きさはそのままで範囲指定そのものを移動することが可能である。
【００８２】
範囲指定１１０４は、他の「露出補正」「ＡＥロック」の現在の設定範囲が参考に示されている。
【００８３】
このように、任意の位置に操作範囲を指定できるので、右手で操作しやすい設定範囲や左手で操作しやすい設定範囲を個人のパラメータとして設定できる。
【００８４】
また、縦横位置センサと組み合わせることで、縦位置での操作範囲及び横位置での操作範囲も自由に設定することができるので使い勝手の良い設定が可能である。
【００８５】
図１０で選択された設定項目は、撮影者がファインダを覗いた際にファインダ内液晶表示装置に表示され、図１１で設定された操作範囲に軽く触れることで、設定項目が明るく表示され、また設定範囲を操作することで、設定操作が明るく表示されることを合わせると、操作項目が明確であり、実際の操作がファインダ内の液晶表示で目視できるため誤操作を防止できる。
【００８６】
以上本発明の実施形態を説明したが、本発明の撮像装置としては、例えばレンズ交換可能な一眼レフレックスタイプの銀塩カメラ又はデジタルカメラ、レンズ一体型の一眼レフレックスの銀塩カメラ又はデジタルカメラ、２つ以上の光学系をもつレンズ一体型の銀塩カメラ又はデジタルカメラ、レンズ交換可能なビデオカメラ、レンズ一体型のビデオカメラ等が挙げられる。
【００８７】
接眼レンズのファインダ内部に組み込まれた第１の表示手段としては、以下に示すものが例として挙げられる。光学ファインダ内部に実装される第１の表示手段としては、ピクトパターンや数字が表示可能な液晶パネル、スーパーインポーズ用の表示装置等が挙げられる。液晶ビューファインダ内部に実装される第１の表示手段としては、小型のＴＦＴ液晶に映し出されたファインダ画像に、所望の文字やピクトパターンを重ね合わせて表示することにより実現される表示装置が挙げられる。なお、本発明における第１の表示手段は、ここに示した表示手段に限定されるものではなく、ファインダ内に内蔵可能であり、撮影の設定状態を示すことが可能な表示手段が含まれる。
【００８８】
外装された第２の表示手段としては、例えばカメラやビデオカメラの設定用又は画像表示用のＴＦＴ液晶表示装置が挙げられる。なお、本発明における第２の表示手段は、ここに示したもの以外にも、固定的なスイッチ情報を表示しているもの等も含んでいる。
【００８９】
撮影準備操作を行う第１の操作部材としては、２段階のシャッタスイッチの１段目（シャッタスイッチを軽く押下した状態でオンされる）や、撮影者が撮影体制に入りファインダの接眼レンズを覗いたことを検出するセンサスイッチが挙げられる。通常のカメラにおいては、シャッタスイッチの１段目を押下すると、自動フォーカス合わせ（ＡＦ動作）や自動露出合わせ（ＡＥ動作）が行われるため、撮影者がファインダを覗くことが多いため、第１の操作部材として利用している。視線検出機能を備えたカメラや、ビデオカメラにおいては、ファインダの接眼レンズ部分付近に実装された赤外線投光器及び受光素子を用いて、接眼レンズ付近に撮影者の眼球が近づいたことを検出可能なため、第１の操作部材として利用している。視線検出機能以外でも、ファインダの接眼レンズ部分付近に受光素子のみを用いた簡単な検出機構も第１の操作部材として利用可能である。
【００９０】
撮影操作を行う第２の操作部材としては、２段階のシャッタスイッチの２段目（シャッタスイッチを更に押し込んだ状態でオンされる）や、録画ボタンが挙げられる。通常のカメラにおいては、シャッタスイッチの２段目を押下すると撮影が実行され、実際の露光が行われ、画像が記録される。ビデオカメラにおいては、録画ボタンを押下することで撮影が実行され、停止ボタンが押下されるまで録画記録が行われる。
【００９１】
第２の表示手段の表面に置かれた接触検出手段としては、タッチパネルやタッチパッドが挙げられる。本発明においては、こららの入力部材に限定されるものではなく、指等が接触したことを検知し、その位置情報を得ることができる入力部材を含んでいる。
【００９２】
本発明において、例えば接眼レンズに目を近づけて撮影準備状態に入った時、又は撮影者が接眼レンズに目を近づけて、シャッタスイッチを半押し撮影準備状態に入った時、第１の検出手段により撮影者が撮影準備状態に入ったことを検出すると、ファインダ内の第１の表示手段が有効となる。すなわち、撮影者がファインダの接眼レンズを覗いて撮影準備動作に入ると、ファインダ内の表示装置が点灯し、現在の撮影設定状態が表示される。この時、本体に外装されている第２の表示手段は見ることができなくなるため消灯するのが好ましい。
【００９３】
また、撮影者が第２の表示手段を見ながら撮像装置を操作している状態では、タッチパネルのどの部分に触れて設定すればよいかが明らかなため、数多くのスイッチ操作を定義することが可能であるが、撮影者がファインダ内の第１の表示手段を見ている時は、タッチパネルの位置が明確に指定できないことから、操作範囲を限定する必要があるため、操作する内容を切り替えることが好ましい。
【００９４】
本発明において、撮影者が撮影準備状態に入り、ファインダ内の表示装置を見ている状態で、タッチパネルを操作した場合、タッチパネルに割り当てられている操作内容に対して、ファインダ内の表示装置に表示されている内容が、操作対象外のものと区別して表示される。例えば、複数の表示内容の内、タッチパネルに触れると対応する表示内容が明るく表示され、設定値の変更が可能であることを明示する。
【００９５】
また、タッチパネルに触れると対応する表示内容の色や枠囲い、反転等を行い、設定値の変更が可能であることを明示する。或いは、また、タッチパネルに触れると対応するピクト（絵文字）が点灯し、対応した設定値が表示され、設定値の変更が可能であることを明示する。
【００９６】
本発明において、撮影者が撮影準備状態に入っていない状態（第１の操作部材も、第２の操作部材も操作していない状態）で、タッチパネルの操作性設定を行うことが可能である。タッチパネルの操作性設定は、本体外装の第２の表示手段を用いてタッチパネルの操作範囲と操作スイッチの割り当てを行うことが可能である。また、実際にファインダ内の第１の表示手段を用いてタッチパネルの操作範囲と操作スイッチの割り当てを行うことが可能である。
【００９７】
ここで設定されたタッチパネルの操作性は、撮像装置に一時的に記憶しておくことも、半永久的に（別の設定がされるまで有効）記憶しておくことも可能である。また、ここで設定されたタッチパネルの操作性は、複数設定記憶することが可能であり、例えば使用者別に設定保存することで、使用者が変わる度に設定し直する必要性を無くすことができる。
【００９８】
また、撮像装置に方向センサが組み込まれている場合は、縦位置時のタッチパネルの操作性と横位置時のタッチパネルの操作性を個別に記憶しておくことで、撮影準備時に縦位置、横位置を検出し、検出した位置情報に応じたタッチパネルの操作性を提供することができ、最適な操作性を提供することが可能である。
【００９９】
本発明において、撮像装置が撮影モードを備えている場合、撮影モードに従ったタッチパネルの操作範囲と操作スイッチの割り当てを行うことが可能である。この場合、撮影準備時に撮影モードを判断して撮影モードに対応したタッチパネルの操作性を提供することで最適な操作性を提供することが可能である。
【０１００】
撮影モードが撮影時の絞り開口量を設定できるモードである時、タッチパネルを操作して絞り設定状態にすると、ファインダ内の第１の表示手段が絞り変更状態の表示となり、タッチパネルを操作して設定値を変更することが可能である。
【０１０１】
撮影モードが撮影時のシャッタ露光時間を設定できるモードである時、タッチパネルを操作してシャッタ開放時間設定状態にすると、ファインダ内の第１の表示手段がシャッタ開放時間変更状態の表示となり、タッチパネルを操作して設定値を変更することが可能である。
【０１０２】
撮像装置が自動露出計算機能を備えており、撮影モードが撮影時の適正露光量に対する補正値（露出補正値）を設定できるモードである時、タッチパネルを操作して露出補正値設定状態にすると、ファインダ内の第１の表示手段が露出補正値変更状態の表示となり、タッチパネルを操作して設定値を変更することが可能である。
【０１０３】
撮像装置が自動露出計算機能を備えており、撮影モードが撮影時の適正露光量組み合わせを選択（プログラム線図の選択）できるモードである時、タッチパネルを操作してプログラム線図選択状態にすると、ファインダ内の第１の表示手段がプログラム線図選択の表示となり、タッチパネルを操作して設定値を変更することが可能である。
【０１０４】
撮像装置が自動露出計算機能を備えており、自動露出計算のアルゴリズムを選択可能なモードである時、タッチパネルを操作して自動露出計算のアルゴリズムを選択状態にすると、ファインダ内の第１の表示手段が自動露出計算のアルゴリズムを選択の表示となり、タッチパネルを操作して設定値を変更することが可能である。
【０１０５】
撮像装置が自動フォーカス機能及び複数の測距点を備えており、測距点を選択可能なモードである時、タッチパネルを操作して測距点を選択状態にすると、ファインダ内の第１の表示手段が測距点選択の表示となり、タッチパネルを操作して設定値を変更することが可能である。
【０１０６】
撮像装置がストロボ発光量の制御が可能なストロボ発光装置を備えており、ストロボ発光量の設定（調光設定）可能なモードである時、タッチパネルを操作して調光設定状態にすると、ファインダ内の第１の表示手段が調光設定の表示となり、タッチパネルを操作して設定値を変更することが可能である。
【０１０７】
撮像装置がデジタルカメラであり、デジタル信号処理のパラメータ設定可能なモードである時、タッチパネルを操作してデジタル信号処理のパラメータ設定状態にすると、ファインダ内の第１の表示手段がデジタル信号処理のパラメータ設定の表示となり、タッチパネルを操作して設定値を変更することが可能である。
【０１０８】
デジタル信号処理パラメータには、明度設定、色度設定、輝度設定、色温度設定、輪郭協調設定、輝度ガンマカーブ設定、色ガンマカーブ設定、白黒設定等がある。
【０１０９】
撮像装置がデジタルカメラであり、記録する画像サイズ設定可能なモードである時、タッチパネルを操作して画像サイズ設定状態にすると、ファインダ内の第１の表示手段が画像サイズ設定の表示となり、タッチパネルを操作して設定値を変更することが可能である。
【０１１０】
撮像装置がデジタルカメラであり、記録する画像圧縮率設定可能なモードである時、タッチパネルを操作して画像圧縮率設定状態にすると、ファインダ内の第１の表示手段が画像圧縮率設定の表示となり、タッチパネルを操作して設定値を変更することが可能である。
【０１１１】
（その他の実施の形態）
上述した実施の形態の機能を実現するべく各種のデバイスを動作させるように、該各種デバイスと接続された装置或いはシステム内のコンピュータに対し、上記実施の形態の機能を実現するためのソフトウェアのプログラムコードを供給し、そのシステム或いは装置のコンピュータ（ＣＰＵ或いはＭＰＵ）に格納されたプログラムに従って上記各種デバイスを動作させることによって実施したものも、本発明の範疇に含まれる。
【０１１２】
また、この場合、上記ソフトウェアのプログラムコード自体が上述した実施の形態の機能を実現することになり、そのプログラムコード自体は本発明を構成する。そのプログラムコードの伝送媒体としては、プログラム情報を搬送波として伝搬させて供給するためのコンピュータネットワーク（ＬＡＮ、インターネット等のＷＡＮ、無線通信ネットワーク等）システムにおける通信媒体（光ファイバ等の有線回線や無線回線等）を用いることができる。
【０１１３】
さらに、上記プログラムコードをコンピュータに供給するための手段、例えばかかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【０１１４】
また、コンピュータが供給されたプログラムコードを実行することにより、上述の実施の形態の機能が実現されるだけでなく、そのプログラムコードがコンピュータにおいて稼働しているＯＳ（オペレーティングシステム）或いは他のアプリケーションソフト等と共同して上述の実施の形態の機能が実現される場合にもかかるプログラムコードは本発明の実施の形態に含まれることはいうまでもない。
【０１１５】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部又は全部を行い、その処理によって上述した実施の形態の機能が実現される場合にも本発明に含まれることはいうまでもない。
【０１１６】
なお、上記実施の形態において示した各部の形状及び構造は、何れも本発明を実施するにあたっての具体化のほんの一例を示したものに過ぎず、これらによって本発明の技術的範囲が限定的に解釈されてはならないものである。すなわち、本発明はその精神、又はその主要な特徴から逸脱することなく、様々な形で実施することができる。
【０１１７】
以下、本発明の実施態様の例を列挙する。
（実施態様１）ファインダ内部に組み込まれた第１の表示手段と、外装された第２の表示手段と、前記第２の表示手段の表面に置かれた接触検出手段と、前記第１の表示手段が使用される状態となることに応答して前記接触検出手段の操作態様を変更する制御手段とを有することを特徴とする撮像装置。
【０１１８】
（実施態様２）前記第１の表示手段は、前記接触検出手段により操作される内容を表示することを特徴とする実施態様１に記載の撮像装置。
【０１１９】
（実施態様３）前記第１の表示手段は、前記接触検出手段により操作される内容が変更された場合には表示画面を切り替えることを特徴とする実施態様１又は２に記載の撮像装置。
【０１２０】
（実施態様４）前記制御手段は、前記第１の表示手段が使用される状態となることを自動的に検出するための検出手段を有することを特徴とする実施態様１〜３のいずれか１つに記載の撮像装置。
【０１２１】
（実施態様５）前記検出手段は、撮影者が前記ファインダを覗くことを検出する手段を有することを特徴とする実施態様４に記載の撮像装置。
【０１２２】
（実施態様６）前記制御手段は、前記第１の表示手段が使用される状態で撮影開始用操作部材が操作されることに応答して、前記接触検出手段により操作される内容を変更することを特徴とする実施態様１〜５のいずれか１つに記載の撮像装置。
【０１２３】
（実施態様７）前記制御手段は、前記第１の表示手段が使用される状態となることに応答して、前記第２の表示手段の表示を無効にすることを特徴とする実施態様１に記載の撮像装置。
【０１２４】
（実施態様８）前記第１の表示手段は、前記接触検出手段により操作される内容を前記レンズユニットを通過した入射光の表示に対して重ね合わせて表示することを特徴とする実施態様１〜７のいずれか１つに記載の撮像装置。
【０１２５】
（実施態様９）前記制御手段は、前記第１の表示手段が使用される状態となることに応答して、前記第１の表示手段の表示を有効し、前記接触検出手段により操作される内容を前記第１の表示手段の表示のなかで区別して表示させることを特徴とする実施態様１〜８のいずれか１つに記載の撮像装置。
【０１２６】
（実施態様１０）前記制御手段は、前記第１の表示手段が使用される状態となることに応答して、前記接触検出手段により操作される内容を前記第１の表示手段の表示のなかで表示色、又は反転表示、又は下線表示、又は枠囲い表示、又は点滅表示の表示属性により区別して表示させることを特徴とする実施態様１〜９のいずれか１つに記載の撮像装置。
【０１２７】
（実施態様１１）前記制御手段は、前記第１の表示手段が使用される状態となることに応答して、前記接触検出手段により操作される内容を前記第１の表示手段の表示内容が絵文字表示との組み合わせにより区別して表示させることを特徴とする実施態様１〜９のいずれか１つに記載の撮像装置。
【０１２８】
これら実施態様９〜１１によれば、前記接触検出手段操作中のファインダ内表示の方法が与えられ、第１の表示手段における表示方法の自由度が増し、表示部材に適した表示が可能となる。
【０１２９】
（実施態様１２）前記制御手段は、前記接触検出手段により操作される内容を前記第２の表示手段と接触検出手段を用いて設定及び記憶できるようにすることを特徴とする実施態様１〜１１のいずれか１つに記載の撮像装置。
【０１３０】
この実施態様１２によれば、接触検出手段により検出される操作設定方法に対して複数の設定方法が示され、設定方法の自由度が増し、最適な操作設定方法を選択することが可能となる。
【０１３１】
（実施態様１３）前記制御手段は、前記接触検出手段で行っている操作が絞り装置の開口量を設定する操作である時は、前記第１の表示手段の表示が絞りの開口量を操作中であることを明確に区別できるようにすることを特徴とする実施態様１〜１２のいずれか１つに記載の撮像装置。
【０１３２】
（実施態様１４）前記制御手段は、前記接触検出手段で行っている操作が前記シャッタ装置の露光時間を設定する操作である時は、前記第１の表示手段の表示がシャッタ開放時間を操作中であることを明確に区別できるようにすることを特徴とする実施態様１〜１３のいずれか１つに記載の撮像装置。
【０１３３】
（実施態様１５）前記制御手段は、自動露出計算機能を備えており、前記制御手段は、前記接触検出手段で行っている操作が露光量の補正設定する操作である時は、前記第１の表示手段の表示が露光量の補正中であることを明確に区別できるようにすることを特徴とする実施態様１〜１４のいずれか１つに記載の撮像装置。
【０１３４】
（実施態様１６）前記制御手段は、前記接触検出手段で行っている操作が露光量の組み合わせ選択設定する操作である時、前記第１の表示手段の表示が露光量の組み合わせ選択中であることを明確に区別できるようにすることを特徴とする実施態様１５に記載の撮像装置。
【０１３５】
（実施態様１７）前記制御手段は、前記接触検出手段で行っている操作が露光量の決定アルゴリズム選択設定する操作である時、前記第１の表示手段の表示が露光量の決定アルゴリズム選択中であることを明確に区別できるようにすることを特徴とする実施態様１５に記載の撮像装置。
【０１３６】
（実施態様１８）自動フォーカス機能を備えており、複数の測距点を持っている場合、前記制御手段は、前記接触検出手段で行っている操作が測距点の選択設定する操作である時、前記第１の表示手段の表示が測距点選択中であることを明確に区別できるようにすることを特徴とする実施態様１〜１４のいずれか１つに記載の撮像装置。
【０１３７】
（実施態様１９）  ストロボ発光量の制御ができる場合、前記制御手段は、前記接触検出手段で行っている操作がストロボ発光量の補正（調光補正）を設定する操作である時、前記第１の表示手段の表示がストロボ発光量の補正（調光補正）中であることを明確に区別できるようにすることを特徴とする実施態様１〜１４のいずれか１つに記載の撮像装置。
【０１３８】
（実施態様２０）露光面に光電変換素子を備え、光電変換から得られるアナログデータをデジタル信号に変換するＡＤ変換手段と、変換されたデジタル信号を処理して画像データを生成するデジタル信号処理手段と、信号処理された画像データを記憶する記憶手段を備えており、前記制御手段は、前記接触検出手段で行っている操作がデジタル信号処理手段のパラメータを設定する操作である時、前記第１の表示手段の表示がデジタル信号処理手段のパラメータを設定中であることを明確に区別できるようにすることを特徴とする実施態様１〜１４のいずれか１つに記載の撮像装置。
【０１３９】
（実施態様２１）前記制御手段は、前記接触検出手段で行っている操作が画像データを記録する画像の大きさ又は画像の圧縮率を設定する操作である時は、前記第１の表示手段の表示が画像の大きさ又は画像の圧縮率設定中であることを明確に区別できるようにすることを特徴とする実施態様２０に記載の撮像装置。
【０１４０】
これら実施態様１３〜２１によれば、撮像装置に関する多数の設定が可能であることが具体的に示され、撮影者が必要とする情報が設定可能となる。
【０１４１】
（実施態様２２）撮像装置の方向を検出するセンサを備えており、前記制御手段は、前記接触検出手段で操作を行う時、縦位置方向と横位置方向で接触検出手段の操作性を切り替えることを特徴とする実施態様１〜２１のいずれか１つに記載の撮像装置。
【０１４２】
この実施態様２２によれば、縦横方向を撮像装置が認識し、接触検出手段の操作性を切り替えることで、撮像装置を保持した撮影者の手（指）の状況に応じた操作性を提供することが可能となり、最適な操作性を提供することができる。
【０１４３】
（実施態様２３）ファインダ内部に組み込まれた第１の表示手段と、外装された第２の表示手段と、前記第２の表示手段の表面に置かれた接触検出手段とを備えた撮像装置の制御方法であって、前記第１の表示手段が使用される状態となることに応答して前記接触検出手段の操作態様を変更する制御ステップを有することを特徴とする撮像装置の制御方法。
【０１４４】
（実施態様２４）前記第１の表示手段は、前記接触検出手段により操作される内容を表示することを特徴とする実施態様２３に記載の撮像装置の制御方法。
【０１４５】
（実施態様２５）前記第１の表示手段は、前記接触検出手段により操作される内容が変更された場合には表示画面を切り替えることを特徴とする実施態様２３又は２４に記載の撮像装置の制御方法。
【０１４６】
（実施態様２６）前記制御ステップでは、前記第１の表示手段が使用される状態となることを自動的に検出するための検出ステップを有することを特徴とする実施態様２３〜２５のいずれか１つに記載の撮像装置の制御方法。
【０１４７】
（実施態様２７）前記検出ステップでは、撮影者が前記ファインダを覗くことを検出することを特徴とする実施態様２６に記載の撮像装置の制御方法。
【０１４８】
（実施態様２８）前記制御ステップでは、前記第１の表示手段が使用される状態で撮影開始用操作部材が操作されることに応答して、前記接触検出手段により操作される内容を変更することを特徴とする実施態様２３〜２７のいずれか１つに記載の撮像装置の制御方法。
【０１４９】
（実施態様２９）前記制御ステップでは、前記第１の表示手段が使用される状態となることに応答して、前記第２の表示手段の表示を無効にすることを特徴とする実施態様２３に記載の撮像装置の制御方法。
【０１５０】
（実施態様３０）前記第１の表示手段は、前記接触検出手段により操作される内容を前記レンズユニットを通過した入射光の表示に対して重ね合わせて表示することを特徴とする実施態様２３〜２９のいずれか１つに記載の撮像装置の制御方法。
【０１５１】
（実施態様３１）前記制御ステップでは、前記第１の表示手段が使用される状態となることに応答して、前記第１の表示手段の表示を有効し、前記接触検出手段により操作される内容を前記第１の表示手段の表示のなかで区別して表示させることを特徴とする実施態様２３〜３０のいずれか１つに記載の撮像装置の制御方法。
【０１５２】
（実施態様３２）前記制御ステップでは、前記第１の表示手段が使用される状態となることに応答して、前記接触検出手段により操作される内容を前記第１の表示手段の表示のなかで表示色、又は反転表示、又は下線表示、又は枠囲い表示、又は点滅表示の表示属性により区別して表示させることを特徴とする実施態様２３〜３０のいずれか１つに記載の撮像装置の制御方法。
【０１５３】
（実施態様３３）前記制御ステップでは、前記第１の表示手段が使用される状態となることに応答して、前記接触検出手段により操作される内容を前記第１の表示手段の表示内容が絵文字表示との組み合わせにより区別して表示させることを特徴とする実施態様２３〜３０のいずれか１つに記載の撮像装置の制御方法。
【０１５４】
（実施態様３４）前記制御手ステップでは、前記接触検出手段により操作される内容を前記第２の表示手段と接触検出手段を用いて設定及び記憶できるようにすることを特徴とする実施態様２３〜３３のいずれか１つに記載の撮像装置の制御方法。
【０１５５】
（実施態様３５）前記制御ステップでは、前記接触検出手段で行っている操作が絞り装置の開口量を設定する操作である時は、前記第１の表示手段の表示が絞りの開口量を操作中であることを明確に区別できるようにすることを特徴とする実施態様２３〜３４のいずれか１つに記載の撮像装置の制御方法。
【０１５６】
（実施態様３６）前記制御ステップでは、前記接触検出手段で行っている操作が前記シャッタ装置の露光時間を設定する操作である時は、前記第１の表示手段の表示がシャッタ開放時間を操作中であることを明確に区別できるようにすることを特徴とする実施態様２３〜３５のいずれか１つに記載の撮像装置の制御方法。
【０１５７】
（実施態様３７）前記制御ステップでは、自動露出計算を行い、前記接触検出手段で行っている操作が露光量の補正設定する操作である時は、前記第１の表示手段の表示が露光量の補正中であることを明確に区別できるようにすることを特徴とする実施態様２３〜３６のいずれか１つに記載の撮像装置の制御方法。
【０１５８】
（実施態様３８）前記制御ステップでは、前記接触検出手段で行っている操作が露光量の組み合わせ選択設定する操作である時、前記第１の表示手段の表示が露光量の組み合わせ選択中であることを明確に区別できるようにすることを特徴とする実施態様３７に記載の撮像装置の制御方法。
【０１５９】
（実施態様３９）前記制御ステップでは、前記接触検出手段で行っている操作が露光量の決定アルゴリズム選択設定する操作である時、前記第１の表示手段の表示が露光量の決定アルゴリズム選択中であることを明確に区別できるようにすることを特徴とする実施態様３７に記載の撮像装置の制御方法。
【０１６０】
（実施態様４０）自動フォーカス機能を備えており、複数の測距点を持っている場合、前記制御ステップでは、前記接触検出手段で行っている操作が測距点の選択設定する操作である時、前記第１の表示手段の表示が測距点選択中であることを明確に区別できるようにすることを特徴とする実施態様２３〜３６のいずれか１つに記載の撮像装置の制御方法。
【０１６１】
（実施態様４１）ストロボ発光量の制御ができる場合、前記制御ステップでは、前記接触検出手段で行っている操作がストロボ発光量の補正（調光補正）を設定する操作である時、前記第１の表示手段の表示がストロボ発光量の補正（調光補正）中であることを明確に区別できるようにすることを特徴とする実施態様２３〜３６のいずれか１つに記載の撮像装置の制御方法。
【０１６２】
（実施態様４２）前記撮像装置は、露光面に光電変換素子を備え、光電変換から得られるアナログデータをデジタル信号に変換するＡＤ変換手段と、変換されたデジタル信号を処理して画像データを生成するデジタル信号処理手段と、信号処理された画像データを記憶する記憶手段を備えており、前記制御ステップでは、前記接触検出手段で行っている操作がデジタル信号処理手段のパラメータを設定する操作である時、前記第１の表示手段の表示がデジタル信号処理手段のパラメータを設定中であることを明確に区別できるようにすることを特徴とする実施態様２３〜３６のいずれか１つに記載の撮像装置の制御方法。
【０１６３】
（実施態様４３）前記制御ステップでは、前記接触検出手段で行っている操作が画像データを記録する画像の大きさ又は画像の圧縮率を設定する操作である時は、前記第１の表示手段の表示が画像の大きさ又は画像の圧縮率設定中であることを明確に区別できるようにすることを特徴とする実施態様４２に記載の撮像装置の制御方法。
【０１６４】
（実施態様４４）撮像装置の方向を検出するセンサを備えており、前記制御ステップでは、前記接触検出手段で操作を行う時、縦位置方向と横位置方向で接触検出手段の操作性を切り替えることを特徴とする実施態様２３〜４３のいずれか１つに記載の撮像装置の制御方法。
【０１６５】
（実施態様４５）ファインダ内部に組み込まれた第１の表示手段と、外装された第２の表示手段と、前記第２の表示手段の表面に置かれた接触検出手段とを備えた撮像装置を制御するプログラムであって、前記第１の表示手段が使用される状態となることに応答して前記接触検出手段の操作態様を変更する制御処理を実行させることを特徴とするプログラム。
【０１６６】
（実施態様４６）実施態様４５に記載のプログラムを格納したことを特徴とするコンピュータ読み取り可能な記憶媒体。
【０１６７】
【発明の効果】
以上述べたように本発明によれば、ファインダを覗いている状態で撮影準備動作を行った際にも、タッチパネルやタッチパッドによる撮影操作に必要な多数の設定を可能とし、操作中の設定項目も確認でき、また誤操作を防止し、操作性を向上させることができる。
【図面の簡単な説明】
【図１】第１の実施形態の撮像装置の構成を示す図である。
【図２】第１の実施形態のデジタルカメラの外観を示す図である。
【図３】第１の実施形態のデジタルカメラにおける光学ファインダ内の液晶表示の例を示す図である。
【図４】撮影者が光学ファインダを覗いた状態のタッチパネルの操作範囲を示す図である。
【図５】撮影者が光学ファインダを覗いた状態のタッチパネルの操作範囲を示す図である。
【図６】デジタルカメラが動作した状態のタッチパネルの操作範囲を示す図である。
【図７】第２の実施形態の撮像装置の構成を示す図である。
【図８】第２の実施形態のデジタルカメラにおけるファインダ内の表示の例を示す図である。
【図９】タッチパネルの操作範囲を示す図である。
【図１０】項目設定画面の例を示す図である。
【図１１】タッチパネルの範囲設定例を示す図である。
【符号の説明】
１００      デジタルカメラ本体
１１０      レンズユニット
１１１      絞り
１１２      シャッタ
１１３      撮像素子
１２０      光学ファインダ
１２１      スクリーン
１２２      ファインダ内液晶表示装置
１２３      接眼レンズ
１２４      接眼検出部
１３０      システム制御部
２０１      レンズユニット
２０２      シャッタスイッチ
２０３      電源スイッチ
２０４      光学ファインダ
２０５      液晶表示装置及びタッチパネル
２０６      タッチパネル基準位置（凹凸）
２０７      接眼検出部
７０１      電子ビューファインダ
７０２      小型液晶表示装置
７０３      接眼レンズ
【図１】
2004165934.tif 000003
【図２】
2004165934.tif 000004
【図３】
2004165934.tif 000005
【図４】
2004165934.tif 000006
【図５】
2004165934.tif 000007
【図６】
2004165934.tif 000008
【図７】
2004165934.tif 000009
【図８】
2004165934.tif 000010
【図９】
2004165934.tif 000011
【図１０】
2004165934.tif 000012
【図１１】
2004165934.tif 000013